(57)【要約】【課題】デバイスの制御を迅速に行う。【解決手段】  パネル制御ＩＣ２０を制御するスレーブマイクロコントローラ１９と、電源の管理を行うとともに、スレーブマイクロコントローラ１９を制御するマスタマイクロコントローラ１５と、パネル制御ＩＣ２０の接続先を、スレーブマイクロコントローラ１９、またはマスタマイクロコントローラ１５に切り替えるUARTスイッチ２１とを備え、マスタマイクロコントローラ１５は、さらに、UARTスイッチ２１を制御することにより、パネル制御ＩＣ２０とマスタマイクロコントローラ１５とを接続して、パネル制御ＩＣ２０の制御も行う。本発明は、例えば、テレビジョン受像機に適用できる。【選択図】図１
2007053619.tif 000002
【特許請求の範囲】
【請求項１】
デバイスを制御する第１の制御手段と、
電源の管理を行うとともに、前記第１の制御手段を制御する第２の制御手段と、
前記デバイスの接続先を、前記第１の制御手段、または前記第２の制御手段に切り替える切り替え手段と
を備え、
前記第２の制御手段は、さらに、前記切り替え手段を制御することにより、前記デバイスと前記第２の制御手段とを接続して、前記デバイスの制御も行う
電子機器。
【請求項２】
前記電子機器は、その動作モードとして、
前記第１の制御手段と前記第２の制御手段とに前記電源からの電力が供給される通常モードと、
前記第２の制御手段には前記電源からの電力が供給されるが、前記第１の制御手段には前記電源からの電力が供給されない低消費電力モードと
を有しており、
前記電子機器の動作モードが通常モードである場合、前記デバイスは、前記第１の制御手段に接続され、前記第１の制御手段は、前記デバイスを制御し、
前記電子機器の動作モードが低消費電力モードから通常モードに遷移するときに、前記デバイスは、前記第２の制御手段に接続され、前記第２の制御手段は、前記デバイスを制御し、前記第１の制御手段が前記デバイスを制御することができる状態になった後、前記デバイスは、前記第１の制御手段に接続される
請求項１に記載の電子機器。
【請求項３】
前記第２の制御手段は、前記電子機器の動作モードが通常モードから低消費電力モードに遷移するときに、低消費電力モードに遷移する旨を前記第１の制御手段に通知し、
前記第１の制御手段は、前記第２の制御手段から低消費電力モードに遷移する旨が通知されると、前記デバイスを制御するために前記デバイスに送信するデータの送信を停止する
請求項２に記載の電子機器。
【請求項４】
前記第２の制御手段は、前記電子機器の動作モードが低消費電力モードから通常モードに遷移するときに、前記第２の制御手段に接続されている前記デバイスへの初期設定データを送信し、初期設定データの送信を停止してから所定の期間が経過した後に、前記切り替え手段を制御し、前記デバイスと前記第１の制御手段とを接続させる
請求項２に記載の電子機器。
【請求項５】
デバイスを制御する第１の制御手段と、
電源の管理を行うとともに、前記第１の制御手段を制御する第２の制御手段と、
前記デバイスの接続先を、前記第１の制御手段、または前記第２の制御手段に切り替える切り替え手段と
を備える電子機器の制御方法において、
前記第２の制御手段において、前記切り替え手段を制御することにより、前記デバイスと前記第２の制御手段とを接続して、前記デバイスの制御を行う
ステップを含む制御方法。
【請求項６】
デバイスを制御する第１の制御手段と、
電源の管理を行うとともに、前記第１の制御手段を制御する第２の制御手段と、
前記デバイスの接続先を、前記第１の制御手段、または前記第２の制御手段に切り替える切り替え手段と
を備える電子機器の前記第２の制御手段が内蔵するコンピュータに実行させるプログラムにおいて、
前記切り替え手段を制御することにより、前記デバイスと前記第２の制御手段とを接続して、前記デバイスの制御を行う
ステップを含む処理をコンピュータに実行させるプログラム。
【発明の詳細な説明】
【技術分野】
【０００１】
本発明は、電子機器、およびその制御方法、ならびにプログラムに関し、特に、デバイスの制御を迅速に行うことができるようにした電子機器、およびその制御方法、ならびにプログラムに関する。
【背景技術】
【０００２】
現在、デジタル方式で映像信号を処理するテレビジョン受像機が主流となり、また、テレビジョン受像機の種類が増加している。例えば、ディスプレイが、ブラウン管、プラズマパネル、または液晶パネルのテレビジョン受像機や、受像機本体とディスプレイとが同一の筐体の一体型のテレビジョン受像機、受像機本体とディスプレイとが別の筐体の別体型のテレビジョン受像機などがある。
【０００３】
このように、テレビジョン受像機の種類が増加することにより、その構成（ハードウエア）も煩雑（複雑）になってきている。
【０００４】
一方、テレビジョン受像機を開発する現場においては、設計期間の短縮や、コストダウンが要求されており、これらの要求を実現するために、共通設計や流用設計が行われ、また、ハードウエアの機能ごとのパッケージ化が急速に推進されている。例えば、テレビジョン受像機に要求される制御を、機能ごとに制御（内容）を分けた複数のマイクロコントローラを用いて行うことも、パッケージ化の流れの１つである。
【０００５】
テレビジョン受像機を制御する複数のマイクロコントローラのうちの１つとしては、例えば、電源の管理を行うとともに、ユーザからの操作を受け付け、その操作に応じた処理を実行するために、他のマイクロコントローラを制御するマスタマイクロコントローラがあり、他の１つとしては、例えば、ディスプレイとしてのパネルを制御するための制御ＩＣ（Integrated Circuit）などのデバイスを制御するスレーブマイクロコントローラがある。
【０００６】
例えば、マスタマイクロコントローラは、ユーザからの操作に従って、スレーブマイクロコントローラを制御し、スレーブマイクロコントローラは、マスタマイクロコントローラからの制御に従って、パネルを制御するための制御ＩＣを制御する。
【０００７】
また、上述のように、電源の管理を行うマスタマイクロコントローラと、マスタマイクロコントローラに制御されるスレーブマイクロコントローラとを有するテレビジョン受像機には、その動作モードとして、テレビジョン受像機のすべてのブロックに、電源からの電力が供給される通常モードと、必要最小限のブロックのみに、電源からの電力が供給される低消費電力モードとがあることがある。
【０００８】
通常モードでは、マスタマイクロコントローラおよびスレーブマイクロコントローラを含むテレビジョン受像機のすべてのブロックに、電源からの電力が供給される。低消費電力モードでは、マスタマイクロコントローラを含む必要最小限のブロックだけに、電源からの電力が供給される。
【０００９】
ここで、スレーブマイクロコントローラは、一般に、必要最小限のブロックには含まれず、従って、低消費電力モードにおいては、スレーブマイクロコントローラには、電源からの電力は供給されない。
【００１０】
また、テレビジョン受像機の電源が完全にオフにされた場合（例えば、テレビジョン受像機のプラグがコンセントから抜かれた場合など）には、マスタマイクロコントローラおよびスレーブマイクロコントローラを含むテレビジョン受像機のすべてのブロックへの電力の供給は停止される。
【００１１】
なお、グラフィックコントローラ内のコンポーネントについて低消費電力モードへの移行設定を格納するレジスタと、レジスタに低消費電力モードへの移行設定を行う設定手段とを備えることにより、低消費電力モードを実現する機能を備えていないグラフィックコントローラにおける消費電力を抑制する制御を実現することができる情報処理装置が開示されている（例えば、特許文献１参照）。
【特許文献１】特開２００２−２３６５２９号公報
【発明の開示】
【発明が解決しようとする課題】
【００１２】
ところで、マスタマイクロコントローラが、スレーブマイクロコントローラを制御し、スレーブマイクロコントローラが、パネルを制御するための制御ＩＣを制御するように構成されているテレビジョン受像機では、例えば、スレーブマイクロコントローラに電源からの電力が供給されていない低消費電力モードの状態にあるときなど、スレーブマイクロコントローラが動作可能な状態にないときには、スレーブマイクロコントローラが動作可能な状態になってからでないと、パネルを制御するための制御ＩＣなどの、スレーブマイクロコントローラが制御対象とするデバイスを制御することができず、このため、デバイスを制御するのに時間を要することがあった。
【００１３】
本発明は、このような状況に鑑みてなされたものであり、デバイスの制御を迅速に行うことができるようにするものである。
【課題を解決するための手段】
【００１４】
本発明の一側面は、デバイスを制御する第１の制御手段と、電源の管理を行うとともに、前記第１の制御手段を制御する第２の制御手段と、前記デバイスの接続先を、前記第１の制御手段、または前記第２の制御手段に切り替える切り替え手段とを備え、前記第２の制御手段は、さらに、前記切り替え手段を制御することにより、前記デバイスと前記第２の制御手段とを接続して、前記デバイスの制御も行う電子機器である。
【００１５】
また、本発明の一側面は、デバイスを制御する第１の制御手段と、電源の管理を行うとともに、前記第１の制御手段を制御する第２の制御手段と、前記デバイスの接続先を、前記第１の制御手段、または前記第２の制御手段に切り替える切り替え手段とを備える電子機器の制御方法において、前記第２の制御手段において、前記切り替え手段を制御することにより、前記デバイスと前記第２の制御手段とを接続して、前記デバイスの制御を行うステップを含む制御方法でもある。
【００１６】
また、本発明の一側面は、デバイスを制御する第１の制御手段と、電源の管理を行うとともに、前記第１の制御手段を制御する第２の制御手段と、前記デバイスの接続先を、前記第１の制御手段、または前記第２の制御手段に切り替える切り替え手段とを備える電子機器の前記第２の制御手段が内蔵するコンピュータに実行させるプログラムにおいて、前記切り替え手段を制御することにより、前記デバイスと前記第２の制御手段とを接続して、前記デバイスの制御を行うステップを含む処理をコンピュータに実行させるプログラムでもある。
【００１７】
本発明の一側面においては、第１の制御手段により、デバイスが制御され、第２の制御手段により、電源の管理が行われるとともに、第１の制御手段が制御される。また、切り替え手段により、デバイスの接続先が、第１の制御手段、または第２の制御手段に切り替えられる。そして、第２の制御手段により、切り替え手段が制御されることで、デバイスと第２の制御手段とが接続され、デバイスが制御される。
【発明の効果】
【００１８】
本発明の一側面によれば、デバイスの制御を迅速に行うことができる。
【発明を実施するための最良の形態】
【００１９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の電子機器は、
デバイス（例えば、図１のパネル制御ＩＣ２０）を制御する第１の制御手段（例えば、図１のスレーブマイクロコントローラ１９）と、
電源の管理を行うとともに、前記第１の制御手段を制御する第２の制御手段（例えば、図１のマスタマイクロコントローラ１５）と、
前記デバイスの接続先を、前記第１の制御手段、または前記第２の制御手段に切り替える切り替え手段（例えば、図１のUARTスイッチ２１）と
を備え、
前記第２の制御手段は、さらに、前記切り替え手段を制御することにより、前記デバイスと前記第２の制御手段とを接続して、前記デバイスの制御も行う。
【００２１】
本発明の一側面の電子機器の制御方法は、
デバイスを制御する第１の制御手段と、
電源の管理を行うとともに、前記第１の制御手段を制御する第２の制御手段と、
前記デバイスの接続先を、前記第１の制御手段、または前記第２の制御手段に切り替える切り替え手段と
を備える電子機器の制御方法において、
前記第２の制御手段において、前記切り替え手段を制御することにより、前記デバイスと前記第２の制御手段とを接続して、前記デバイスの制御を行う
ステップ（例えば、図２のステップＳ１５）を含む。
【００２２】
本発明の一側面のプログラムは、
デバイスを制御する第１の制御手段と、
電源の管理を行うとともに、前記第１の制御手段を制御する第２の制御手段と、
前記デバイスの接続先を、前記第１の制御手段、または前記第２の制御手段に切り替える切り替え手段と
を備える電子機器の前記第２の制御手段が内蔵するコンピュータに実行させるプログラムにおいて、
前記切り替え手段を制御することにより、前記デバイスと前記第２の制御手段とを接続して、前記デバイスの制御を行う
ステップ（例えば、図２のステップＳ１５）を含む。
【００２３】
以下、本発明を適用した具体的な実施の形態について、図面を参照しながら詳細に説明する。
【００２４】
図１は、本発明を適用したテレビジョン受像機の一実施の形態の構成例を示すブロック図である。
【００２５】
テレビジョン受像機１０は、その動作モードとして、所定の消費電力で動作する通常モードと、所定の消費電力以下の消費電力で動作する低消費電力モードとを有している。
【００２６】
テレビジョン受像機１０の動作モードが通常モードである場合、テレビジョン受像機１０を構成する各ブロックに電力が供給され、テレビジョン受像機１０は、放送局からの放送電波を受信して映像を表示する。また、テレビジョン受像機１０の動作モードが低消費電力モードである場合、テレビジョン受像機１０を構成する一部のブロックにのみ電力が供給され、テレビジョン受像機１０は、消費電力を抑制する。
【００２７】
ここで、テレビジョン受像機１０を構成するブロックのうち、キー入力部１３、受光部１４、マスタマイクロコントローラ１５、パネル制御ＩＣ２０、およびLCD（Liquid Crystal Display）パネル３２には、テレビジョン受像機１０の動作モードが通常モードである場合、および低消費電力モードである場合のいずれの場合でも、電力が供給される。以下、これらのブロックを、適宜、第１の電力供給ブロック群という。
【００２８】
一方、テレビジョン受像機１０を構成するブロックのうち、スレーブマイクロコントローラ１９、メインチューナ２６Ｍ、サブチューナ２６Ｓ、入力切替部２８、メイン映像信号処理部２９Ｍ、サブ映像信号処理部２９Ｓ、多画面生成ＩＣ３０、ビデオプロセッサ（ＶＰ）３１、オーディオプロセッサ（ＡＰ）３３、およびアンプ３４には、テレビジョン受像機１０の動作モードが通常モードである場合に、電力が供給される。以下、これらのブロックを、適宜、第２の電力供給ブロック群という。
【００２９】
電源部１１は、第１の電力供給ブロック群に電力を直接供給し、マスタマイクロコントローラ１５からの制御に従って動作する電源リレー１２を介して、第２の電力供給ブロック群に電力を供給する。なお、図１では、電源部１１がテレビジョン受像機１０を構成する各ブロックに電力を供給することを表す線の図示は、省略してある。
【００３０】
電源リレー１２は、マスタマイクロコントローラ１５からの制御に従って、テレビジョン受像機１０の動作モードが通常モードである場合、接点を閉じて、電源部１１からの電力を第２の電力供給ブロック群に供給し、テレビジョン受像機１０の動作モードが低消費電力モードである場合、接点を開いて（開放して）、電源部１１からの電力の第２の電力供給ブロック群への供給を停止する。
【００３１】
キー入力部１３は、例えば、複数のキー（スイッチボタン）などで構成され、ユーザが所望のチャンネルを選択する操作などを受け付け、そのユーザの操作に対応する操作信号をマスタマイクロコントローラ１５に供給する。また、キー入力部１３は、テレビジョン受像機１０の動作モードを通常モードにするときに操作される通常モード要請キーや、テレビジョン受像機１０の動作モードを低消費電力モードにするときに操作される低消費電力モード要請キーを備える。
【００３２】
受光部１４は、図示しないリモートコマンダからの無線信号（例えば、赤外線）を受信（受光）し、マスタマイクロコントローラ１５に供給する。例えば、ユーザがリモートコマンダを操作すると、リモートコマンダは、その操作に対応した操作信号を、無線によって送信し、受光部１４は、そのリモートコマンダが送信する操作信号を受信して、マスタマイクロコントローラ１５に供給する。なお、リモートコマンダは、キー入力部１３と同様に、通常モード要請キーや低消費電力モード要請キーを備える。
【００３３】
マスタマイクロコントローラ１５は、CPU（Central Processing Unit）１５Ａとメモリ１５Ｂなどによって構成され、CPU１５Ａが、不揮発性メモリ１６からプログラムを読み出して実行することにより、各種の処理を行う。即ち、マスタマイクロコントローラ１５は、電源リレー１２、スレーブマイクロコントローラ１９、パネル制御ＩＣ２０、およびUART（Universal Asynchronous Receiver Transmitter）スイッチ２１などを制御する。
【００３４】
具体的には、例えば、マスタマイクロコントローラ１５は、電源リレー１２を制御することにより、電源部１１（からの電力の供給）を管理する。
【００３５】
さらに、マスタマイクロコントローラ１５は、UARTライン２２を介して、スレーブマイクロコントローラ１９とパネル制御ＩＣ２０とが接続されるように、または、マスタマイクロコントローラ１５とパネル制御ＩＣ２０とが接続されるように、UARTスイッチ２１を制御する。
【００３６】
また、マスタマイクロコントローラ１５は、IICバス１８を介して、スレーブマイクロコントローラ１９を制御することにより、スレーブマイクロコントローラ１９に、入力切替部２８、メイン映像信号処理部２９Ｍ、サブ映像信号処理部２９Ｓ、多画面生成ＩＣ３０、ビデオプロセッサ３１、オーディオプロセッサ３３などを制御させる。また、マスタマイクロコントローラ１５は、例えば、ユーザによるキー入力部１３の操作に従い、所定の放送局からの放送電波を選択（選局）するメインチューナ２６Ｍおよびサブチューナ２６Ｓを制御する。
【００３７】
さらに、マスタマイクロコントローラ１５は、テレビジョン受像機１０の動作モードが低消費電力モードである場合、UARTスイッチ２１およびUARTライン２２を介して、パネル制御ＩＣ２０を制御する。
【００３８】
不揮発性メモリ１６は、IICバス１７を介してマスタマイクロコントローラ１５に接続されており、マスタマイクロコントローラ１５による各種の制御に必要な情報やプログラムを記憶する。
【００３９】
IICバス１７および１８は、主に同一基板内などの近距離に配置されたデバイス間での高速通信（例えば、100Kbps、400Kbps、または、3.4Mbps）を行うためのバスであり、IICバス１７によって、マスタマイクロコントローラ１５と不揮発性メモリ１６が接続され、IICバス１８によって、マスタマイクロコントローラ１５とスレーブマイクロコントローラ１９が接続されている。
【００４０】
スレーブマイクロコントローラ１９は、CPU１９Ａとメモリ１９Ｂなどによって構成され、CPU１９Ａが不揮発性メモリ２３から、プログラムを読み出して実行することにより、各種の処理を行う。また、スレーブマイクロコントローラ１９は、不揮発性メモリ２３から各種の制御に必要な情報を読み出し、IICバス２４を介して、入力切替部２８、メイン映像信号処理部２９Ｍ、サブ映像信号処理部２９Ｓ、多画面生成ＩＣ３０、ビデオプロセッサ３１、およびオーディオプロセッサ３３を制御する。
【００４１】
さらに、スレーブマイクロコントローラ１９は、テレビジョン受像機１０の動作モードが通常モードであるとき、UARTスイッチ２１およびUARTライン２２を介して、パネル制御ＩＣ２０に、LCDパネル３２に表示される映像の画質を調整するためのデータを送信することにより、パネル制御ＩＣ２０を制御する。
【００４２】
パネル制御ＩＣ２０は、マスタマイクロコントローラ１５またはスレーブマイクロコントローラ１９からの制御に従って、LCDパネル３２にミュート用の映像が表示される（ミュートをかける）ようにLCDパネル３２を制御する。また、パネル制御ＩＣ２０は、スレーブマイクロコントローラ１９からの制御に従って、LCDパネル３２に、ビデオプロセッサ３１から供給される映像が表示される（ミュートを解除する）ように、LCDパネル３２を制御する。パネル制御ＩＣ２０が、ミュートをかけるようにLCDパネル３２を制御することにより、LCDパネル３２は、例えば、ミュート用の黒い画面を表示し、乱れた映像が表示されることが防止される。
【００４３】
また、パネル制御ＩＣ２０は、LCDパネル３２に表示される映像の画質を調整する。例えば、パネル制御ＩＣ２０が、LCDパネル３２が備えるバックライト（図示せず）などを制御することで、LCDパネル３２に表示される映像の明るさやコントラストが制御される。さらに、パネル制御ＩＣ２０は、LCDパネル３２が備える、例えば、電力の供給の状態や動作モードを表すための図示せぬLED（Light Emitting Diode）の点灯や消灯を制御する。
【００４４】
UARTスイッチ２１は、マスタマイクロコントローラ１５からの制御に従って、UARTライン２２を介したパネル制御ＩＣ２０の接続先を、マスタマイクロコントローラ１５またはスレーブマイクロコントローラ１９のうちのいずれかに切り替える。
【００４５】
UARTスイッチ２１において、パネル制御ＩＣ２０の接続先が、マスタマイクロコントローラ１５に切り替えられた場合、パネル制御ＩＣ２０は、マスタマイクロコントローラ１５によって制御される。また、UARTスイッチ２１において、パネル制御ＩＣ２０の接続先が、スレーブマイクロコントローラ１９に切り替えられた場合、パネル制御ＩＣ２０は、スレーブマイクロコントローラ１９によって制御される。
【００４６】
UARTライン２２は、UARTスイッチ２１とパネル制御ＩＣ２０とを接続する通信用のラインである。ここで、マスタマイクロコントローラ１５、スレーブマイクロコントローラ１９、およびパネル制御ＩＣ２０は、UARTの通信インタフェース（図示せず）を内蔵している。UARTは、データとクロックを１ラインで送信することができ、データとクロックの送信に２ライン用いるIICバスよりも簡易な通信インタフェースである。
【００４７】
不揮発性メモリ２３は、IICバス２４に接続されており、例えば、スレーブマイクロコントローラ１９による各種の制御に必要な情報やプログラムを記憶する。
【００４８】
IICバス２４は、スレーブマイクロコントローラ１９と、不揮発性メモリ２３、入力切替部２８、メイン映像信号処理部２９Ｍ、サブ映像信号処理部２９Ｓ、多画面生成ＩＣ３０、ビデオプロセッサ３１、またはオーディオプロセッサ３３のそれぞれとを接続している。
【００４９】
U/Vアンテナ２５は、図示せぬ放送局から放送電波として放送されてくるテレビジョン放送電波を受信し、放送電波に基づくＲＦ（radio frequency）信号を、メインチューナ２６Ｍおよびサブチューナ２６Ｓに供給する。
【００５０】
メインチューナ２６Ｍは、マスタマイクロコントローラ１５からの制御に従って、所定の放送局からの放送電波を選択（選局）し、U/Vアンテナ２５から供給される放送電波に基づくＲＦ信号を復調する。メインチューナ２６Ｍは、ＲＦ信号を復調することにより得られるコンポジットビデオ信号およびオーディオ信号を、入力切替部２８に供給する。メインチューナ２６Ｍが復調したコンポジットビデオ信号に基づく映像は、LCDパネル３２のメイン画面（LCDパネル３２の画面の全体）に表示される。
【００５１】
サブチューナ２６Ｓは、メインチューナ２６Ｍと同様に、U/Vアンテナ２５からのＲＦ信号を復調し、その結果得られるコンポジットビデオ信号およびオーディオ信号を入力切替部２８に供給する。サブチューナ２６Ｓが復調したコンポジットビデオ信号に基づく映像は、LCDパネル３２のサブ画面（LCDパネル３２の画面の一部分）に表示される。
【００５２】
外部ビデオ入力端子２７は、いわゆるピン入力の接続端子などのインタフェースであり、図示せぬ外部機器に接続され、外部機器から供給されるコンポジットビデオ信号およびオーディオ信号を、入力切替部２８に供給する。
【００５３】
入力切替部（AV-SW（Audio Video Switch））２８は、スレーブマイクロコントローラ１９からの制御に従って、メインチューナ２６Ｍから供給されたコンポジットビデオ信号およびオーディオ信号、または、外部ビデオ入力端子２７から供給されたコンポジットビデオ信号およびオーディオ信号のうちのいずれか一方のコンポジットビデオ信号およびオーディオ信号を選択し、選択したコンポジットビデオ信号をメイン映像信号処理部２９Ｍに供給するとともに、選択したオーディオ信号をオーディオプロセッサ３３に供給する。
【００５４】
また、入力切替部２８は、スレーブマイクロコントローラ１９からの制御に従って、サブチューナ２６Ｓから供給されたコンポジットビデオ信号、または、外部ビデオ入力端子２７から供給されたコンポジットビデオ信号のうちのいずれか一方のコンポジットビデオ信号を選択し、選択したコンポジットビデオ信号をサブ映像信号処理部２９Ｓに供給する。
【００５５】
ここで、例えば、LCDパネル３２のメイン画面にメインチューナ２６Ｍが復調したコンポジットビデオ信号に基づく映像が表示されると同時に、LCDパネル３２のサブ画面にサブチューナ２６Ｓが復調したコンポジットビデオ信号に基づく映像が表示されていたとする。このとき、LCDパネル３２のサブ画面に外部ビデオ入力端子２７から供給されたコンポジットビデオ信号に基づく映像を表示するように、ユーザがキー入力部１３を操作すると、キーの操作に対応した操作信号が、キー入力部１３からマスタマイクロコントローラ１５を介してスレーブマイクロコントローラ１９に供給される。
【００５６】
スレーブマイクロコントローラ１９は、マスタマイクロコントローラ１５を介して供給される操作信号に従い、サブチューナ２６Ｓからのコンポジットビデオ信号を選択してサブ映像信号処理部２９Ｓに供給していた入力切替部２８が、外部ビデオ入力端子２７からのコンポジットビデオ信号を選択してサブ映像信号処理部２９Ｓに供給するように、入力切替部２８を制御する。入力切替部２８は、スレーブマイクロコントローラ１９からの制御に従って、外部ビデオ入力端子２７からのコンポジットビデオ信号を選択してサブ映像信号処理部２９Ｓに供給する。
【００５７】
メイン映像信号処理部２９Ｍは、スレーブマイクロコントローラ１９からの制御に従って、入力切替部２８からのコンポジットビデオ信号を、コンポーネント信号としての輝度信号Ｙと色信号Ｃとに分離し、さらに色信号Ｃを色差信号Ｃｂと色差信号Ｃｒとに変換する。メイン映像信号処理部２９Ｍは、輝度信号Ｙ、色差信号ＣｂおよびＣｒを多画面生成ＩＣ３０に供給する。
【００５８】
サブ映像信号処理部２９Ｓは、メイン映像信号処理部２９Ｍと同様にして、入力切替部２８から供給されるコンポジットビデオ信号から、輝度信号Ｙ、色差信号ＣｂおよびＣｒを得て、多画面生成ＩＣ３０に供給する。
【００５９】
多画面生成ＩＣ３０は、スレーブマイクロコントローラ１９からの制御に従って、メイン映像信号処理部２９Ｍからの輝度信号Ｙ、色差信号ＣｂおよびＣｒに基づく映像と、サブ映像信号処理部２９Ｓからの輝度信号Ｙ、色差信号ＣｂおよびＣｒに基づく映像とを重畳した映像の輝度信号Ｙ、色差信号ＣｂおよびＣｒを生成し、ビデオプロセッサ３１に供給する。
【００６０】
例えば、多画面生成ＩＣ３０は、LCDパネル３２のメイン画面にメインチューナ２６Ｍからのコンポジットビデオ信号に基づく映像が表示されると同時に、LCDパネル３２のサブ画面にサブチューナ２６Ｓからのコンポジットビデオ信号に基づく映像が表示されるような輝度信号Ｙ、色差信号ＣｂおよびＣｒを生成する。
【００６１】
ビデオプロセッサ３１は、多画面生成ＩＣ３０から供給される輝度信号Ｙ、色差信号ＣｂおよびＣｒに基づき、LCDパネル３２を駆動するためのＲ（Red）信号、Ｇ（Green）信号、およびＢ（Blue）信号を生成する。なお、ビデオプロセッサ３１は、スレーブマイクロコントローラ１９からの制御に従った信号処理をすることで、LCDパネル３２に表示される映像の輝度や色あいなどの画質が調整されたＲ信号、Ｇ信号、およびＢ信号を生成する。ビデオプロセッサ３１は、生成したＲ信号、Ｇ信号、およびＢ信号を、LCDパネル３２に供給する。
【００６２】
LCDパネル３２は、ビデオプロセッサ３１からのＲ信号、Ｇ信号、およびＢ信号に基づき、映像を表示する。また、LCDパネル３２は、パネル制御ＩＣ２０からの制御に従い、内蔵するバックライトなどの設定値を変更することで、LCDパネル３２に表示される映像の明るさやコントラストなどの画質を調整する。
【００６３】
さらに、LCDパネル３２は、動作モードに応じて、点灯または消灯するLEDを備えており、パネル制御ＩＣ２０からの制御に従って、例えば、テレビジョン受像機１０の動作モードが低消費電力モードであるとき、LEDを点灯させ、テレビジョン受像機１０の動作モードが通常モードであるとき、LEDを消灯させる。これにより、ユーザは、動作モードを認識することができる。
【００６４】
オーディオプロセッサ３３には、入力切替部２８からオーディオ信号が供給され、オーディオプロセッサ３３は、スレーブマイクロコントローラ１９からの制御に従って、オーディオ信号の音量、バランス、音質を調整して、オーディオ信号をアンプ３４に供給する。
【００６５】
アンプ３４は、オーディオプロセッサ３３から供給されるオーディオ信号を増幅してスピーカ３５に供給する。
【００６６】
スピーカ３５は、アンプ３４からのオーディオ信号に基づき、音声を出力する。
【００６７】
以上のように構成されるテレビジョン受像機１０では、U/Vアンテナ２５により放送電波が受信され、この放送電波に基づくＲＦ信号がメインチューナ２６Ｍまたはサブチューナ２６Ｓにより復調されたコンポジットビデオ信号が、入力切替部２８、メイン映像信号処理部２９Ｍまたはサブ映像信号処理部２９Ｓ、多画面生成ＩＣ３０、ならびにビデオプロセッサ３１を介してLCDパネル３２に供給され、コンポジットビデオ信号に基づく映像がLCDパネル３２に表示される。
【００６８】
次に、図２は、図１のテレビジョン受像機１０が、その動作モードを通常モードにする通常モード要請処理を説明するフローチャートである。
【００６９】
通常モード要請処理は、テレビジョン受像機１０の動作モードが低消費電力モードである場合に、ユーザにより、例えば、キー入力部１３（または、リモートコマンダ）の通常モード要請キーが操作されると、実行される。なお、上述したように、低消費電力モードでは、マスタマイクロコントローラ１５などの第１の電力供給ブロック群にのみ電力が供給されており、スレーブマイクロコントローラ１９などの第２の電力供給ブロック群への電力の供給は停止されている。
【００７０】
ステップＳ１１において、キー入力部１３または受光部１４は、通常モード要請キーの操作に対応した操作信号を、マスタマイクロコントローラ１５に供給する。マスタマイクロコントローラ１５は、キー入力部１３または受光部１４から通常モード要請キーの操作に対応した操作信号が供給されると、ステップＳ１２に進み、UARTスイッチ２１がマスタマイクロコントローラ１５とパネル制御ＩＣ２０とを接続するように切り替えられているか否かを判定する。
【００７１】
ステップＳ１２において、マスタマイクロコントローラ１５が、UARTスイッチ２１がマスタマイクロコントローラ１５とパネル制御ＩＣ２０とを接続するように切り替えられていないと判定した場合、ステップＳ１３に進み、マスタマイクロコントローラ１５は、UARTスイッチ２１がマスタマイクロコントローラ１５とパネル制御ＩＣ２０とを接続するように、UARTスイッチ２１を制御し、ステップＳ１２に戻る。
【００７２】
一方、ステップＳ１２において、マスタマイクロコントローラ１５が、UARTスイッチ２１がマスタマイクロコントローラ１５とパネル制御ＩＣ２０とを接続するように切り替えられていると判定した場合、ステップＳ１４に進む。
【００７３】
ステップＳ１４において、マスタマイクロコントローラ１５は、UARTスイッチ２１およびUARTライン２２を介して、テレビジョン受像機１０の動作モードが低消費電力モードから通常モードに遷移することを、パネル制御ＩＣ２０に通知し、パネル制御ＩＣ２０は、LCDパネル３２がその後の処理を行うことができるような状態となるように、LCDパネル３２を制御する（LCDパネル３２を低消費電力モードから起床させる）。
【００７４】
ステップＳ１４の処理後、ステップＳ１５に進み、マスタマイクロコントローラ１５は、LCDパネル３２にミュート用の映像を表示させる（ミュートをかける）ように、UARTスイッチ２１およびUARTライン２２を介して、パネル制御ＩＣ２０を制御する。これにより、パネル制御ＩＣ２０は、LCDパネル３２を制御して、ミュート用の映像を表示させる。
【００７５】
さらに、マスタマイクロコントローラ１５は、不揮発性メモリ１６から、IICバス１７を介して、パネル制御ＩＣ２０を初期化するための初期設定データを読み出す。そして、マスタマイクロコントローラ１５は、UARTスイッチ２１およびUARTライン２２を介して、初期設定データをパネル制御ＩＣ２０に送信し、その送信の終了後、ステップＳ１６に進み、UARTスイッチ２１およびUARTライン２２を介してのパネル制御ＩＣ２０へのデータの送信を停止する。
【００７６】
ステップＳ１６の処理後、ステップＳ１７に進み、マスタマイクロコントローラ１５は、ステップＳ１５でパネル制御ＩＣ２０に送信した初期設定データの、パネル制御ＩＣ２０での受信が完了するのに必要な一定の時間だけ待機して、ステップＳ１８に進む。
【００７７】
ここで、パネル制御ＩＣ２０は、マスタマイクロコントローラ１５から送信されてくる初期設定データに基づき、初期化を行う。
【００７８】
ステップＳ１８において、マスタマイクロコントローラ１５は、UARTスイッチ２１が、スレーブマイクロコントローラ１９とパネル制御ＩＣ２０とを接続するように、UARTスイッチ２１を制御し、ステップＳ１９に進む。
【００７９】
ステップＳ１９において、マスタマイクロコントローラ１５は、第２の電力供給ブロック群に電力が供給されるように、電源リレー１２を制御し、電源リレー１２は、接点を閉じて、電源部１１からの電力が第２の電力供給ブロック群に供給される状態とする。これにより、第２の電力供給ブロック群は、起動して動作可能状態になる。
【００８０】
ステップＳ１９の処理後、ステップＳ２０に進み、マスタマイクロコントローラ１５は、電源リレー１２を介して、スレーブマイクロコントローラ１９に供給される電力が安定したか否かを判定する。例えば、マスタマイクロコントローラ１５は、スレーブマイクロコントローラ１９に供給（印加）される電圧を所定の間隔でサンプリングし、一定期間にサンプリングした電圧のサンプリング値が一定の値を示すようになれば、スレーブマイクロコントローラ１９に供給される電力が安定したと判定する。
【００８１】
ステップＳ２０において、マスタマイクロコントローラ１５が、スレーブマイクロコントローラ１９に供給される電力が安定していないと判定した場合、ステップＳ２１に進み、マスタマイクロコントローラ１５は、一定の時間を待機した後、ステップＳ２０に戻る。
【００８２】
一方、ステップＳ２０において、マスタマイクロコントローラ１５が、スレーブマイクロコントローラ１９に供給される電力が安定したと判定した場合、ステップＳ２２に進む。
【００８３】
ステップＳ２２において、マスタマイクロコントローラ１５は、スレーブマイクロコントローラ１９の初期化（初期シーケンス）が終了したか否か、即ち、スレーブマイクロコントローラ１９が、不揮発性メモリ２３から、IICバス２４を介して、各種の制御に必要な情報を読み出し、パネル制御ＩＣ２０やその他のブロックの制御をするための所定の処理を行って、パネル制御ＩＣ２０やその他のブロックを制御することができる状態になったか否かを判定する。
【００８４】
ステップＳ２２において、マスタマイクロコントローラ１５が、スレーブマイクロコントローラ１９の初期化が終了していないと判定した場合、ステップＳ２３に進み、マスタマイクロコントローラ１５は、一定の時間を待機した後、ステップＳ２２に戻る。
【００８５】
一方、ステップＳ２２において、マスタマイクロコントローラ１５が、スレーブマイクロコントローラ１９の初期化が終了したと判定した場合、ステップＳ２４に進む。
【００８６】
ステップＳ２４において、マスタマイクロコントローラ１５およびスレーブマイクロコントローラ１９は、LCDパネル３２に映像を表示させるための制御を行う。
【００８７】
例えば、マスタマイクロコントローラ１５は、メインチューナ２６Ｍまたはサブチューナ２６Ｓによる選局の初期設定を、不揮発性メモリ１６から読み出して、初期設定に基づいた選局をするように、メインチューナ２６Ｍまたはサブチューナ２６Ｓを制御する。
【００８８】
また、スレーブマイクロコントローラ１９は、例えば、LCDパネル３２が、メインチューナ２６Ｍによって復調されたコンポジットビデオ信号に基づく映像を表示するように、入力切替部２８、メイン映像信号処理部２９Ｍ、サブ映像信号処理部２９Ｓ、多画面生成ＩＣ３０、およびビデオプロセッサ３１を制御し、メインチューナ２６Ｍによって復調されたオーディオ信号に基づく音声を出力するように、オーディオプロセッサ３３を制御する。さらに、スレーブマイクロコントローラ１９は、UARTスイッチ２１およびUARTライン２２を介して、パネル制御ＩＣ２０を制御し、LCDパネル３２に表示される映像の画質の調整などを行わせる。
【００８９】
ステップＳ２４の処理後、ステップＳ２５において、スレーブマイクロコントローラ１９は、LCDパネル３２に映像を表示させる（ミュートを解除する）ように、パネル制御ＩＣ２０を制御する。これにより、パネル制御ＩＣ２０は、LCDパネル３２のミュートを解除し、LCDパネル３２にビデオプロセッサ３１から供給される映像を表示させ、通常モード要請処理が終了する。
【００９０】
以上のように、パネル制御ＩＣ２０の接続先を、マスタマイクロコントローラ１５またはスレーブマイクロコントローラ１９に切り替えるUARTスイッチ２１を備え、低消費電力モードから通常モードに遷移するときに、マスタマイクロコントローラ１５がUARTスイッチ２１を制御することにより、マスタマイクロコントローラ１５とパネル制御ＩＣ２０を接続して、パネル制御ＩＣ２０を制御するので、パネル制御ＩＣ２０を制御するスレーブマイクロコントローラ１９の初期化の終了を待たずに、パネル制御ＩＣ２０の制御を迅速に行うことができる。
【００９１】
また、通常モード要請処理において、マスタマイクロコントローラ１５が、UARTスイッチ２１およびUARTライン２２を介して、初期設定データをパネル制御ＩＣ２０に送信する（パネル制御ＩＣ２０を制御する）処理を行い、パネル制御ＩＣ２０の初期化が行われている間に、スレーブマイクロコントローラ１９への電力の供給が開始されてスレーブマイクロコントローラ１９の初期化が行われる。即ち、パネル制御ＩＣ２０の初期化とスレーブマイクロコントローラ１９の初期化とが並列に行われる。これにより、ユーザによりキー入力部１３の通常モード要請キーが操作されてから、LCDパネル３２に映像が表示されるまでの時間を短縮することができる。
【００９２】
即ち、図３は、低消費電力モードから通常モードへの遷移時に行われる処理に要する時間を説明する図である。
【００９３】
ここで、図３上側は、パネル制御ＩＣ２０がスレーブマイクロコントローラ１９によってのみ制御されるとした場合の、低消費電力モードから通常モードへの遷移時に行われる処理に要する時間を示している。また、図３下側は、パネル制御ＩＣ２０が、UARTスイッチ２１の切り替えによって、マスタマイクロコントローラ１５またはスレーブマイクロコントローラ１９のいずれによっても制御することができる場合の、低消費電力モードから通常モードへの遷移時に行われる処理に要する時間を示している。
【００９４】
図３上側に示すように、パネル制御ＩＣ２０がスレーブマイクロコントローラ１９によってのみ制御される場合においては、マスタマイクロコントローラ１５が、パネル制御ＩＣ２０を直接制御することができないため、スレーブマイクロコントローラ１９の初期化が行われ、その後に、スレーブマイクロコントローラ１９がパネル制御ＩＣ２０制御することにより、パネル制御ＩＣ２０が初期化される。即ち、パネル制御ＩＣ２０は、スレーブマイクロコントローラ１９によってのみ制御されるので、スレーブマイクロコントローラ１９の初期化が終了し、スレーブマイクロコントローラ１９がパネル制御ＩＣ２０を制御することができる状態となってから、スレーブマイクロコントローラ１９がパネル制御ＩＣ２０を制御することにより、パネル制御ＩＣ２０の初期化が行われる。
【００９５】
これに対し、図３下側に示すように、パネル制御ＩＣ２０がUARTスイッチ２１の切り替えによって、マスタマイクロコントローラ１５またはスレーブマイクロコントローラ１９のいずれによっても制御することができる場合においては、マスタマイクロコントローラ１５がパネル制御ＩＣ２０を制御することにより、パネル制御ＩＣ２０の初期化を行い、その一方で、スレーブマイクロコントローラ１９の初期化を行うことができるので、即ち、パネル制御ＩＣ２０の初期化とスレーブマイクロコントローラ１９の初期化とを並列に行うことができるので、低消費電力モードから通常モードへの遷移時に行われる処理に要する時間を短縮することができ、その結果、ユーザによりキー入力部１３の通常モード要請キーが操作されてから、LCDパネル３２にビデオプロセッサ３１からの映像が表示されるまでの時間を短縮することができる。
【００９６】
また、マスタマイクロコントローラ１５は、パネル制御ＩＣ２０に送信した初期設定データの、パネル制御ＩＣ２０での受信が完了するのに必要な一定の時間だけ待機した後に、UARTスイッチ２１がスレーブマイクロコントローラ１９とパネル制御ＩＣ２０とを接続するように、UARTスイッチ２１を制御するので、パネル制御ＩＣ２０は、確実に初期設定データを受信することができる。
【００９７】
次に、図４は、図１のテレビジョン受像機１０が、その動作モードを低消費電力モードにする低消費電力モード要請処理を説明するフローチャートである。
【００９８】
低消費電力モード要請処理は、テレビジョン受像機１０の動作モードが通常モードである場合に、ユーザにより、例えば、キー入力部１３（または、リモートコマンダ）の低消費電力モード要請キーが操作されると、実行される。なお、通常モードでは、UARTスイッチ２１は、スレーブマイクロコントローラ１９とパネル制御ＩＣ２０とを接続しており、従って、パネル制御ＩＣ２０は、UARTスイッチ２１およびUARTライン２２を介して、スレーブマイクロコントローラ１９により制御されている。
【００９９】
ステップＳ３１において、キー入力部１３または受光部１４は、低消費電力モード要請キーの操作に対応した操作信号を、マスタマイクロコントローラ１５に供給する。マスタマイクロコントローラ１５は、キー入力部１３または受光部１４から低消費電力モード要請キーの操作に対応した操作信号が供給されると、ステップＳ３２に進み、LCDパネル３２にミュートをかけるように、スレーブマイクロコントローラ１９を制御する。
【０１００】
ステップＳ３２の処理後、ステップＳ３３に進み、スレーブマイクロコントローラ１９は、マスタマイクロコントローラ１５の制御に従って、LCDパネル３２をミュート状態とするように、パネル制御ＩＣ２０を制御し、ステップＳ３４に進む。パネル制御ＩＣ２０は、LCDパネル３２を制御し、これにより、LCDパネル３２は、ミュート状態となる。
【０１０１】
ステップＳ３４において、マスタマイクロコントローラ１５は、テレビジョン受像機１０の動作モードが通常モードから低消費電力モードに遷移することを、スレーブマイクロコントローラ１９に通知し、ステップＳ３５に進む。
【０１０２】
ステップＳ３５において、マスタマイクロコントローラ１５からの遷移の通知を受けたスレーブマイクロコントローラ１９は、パネル制御ＩＣ２０を制御するためのデータを、UARTスイッチ２１およびUARTライン２２を介して、パネル制御ＩＣ２０に送信していれば、そのデータの送信を停止し、ステップＳ３６に進む。
【０１０３】
ステップＳ３６では、マスタマイクロコントローラ１５は、スレーブマイクロコントローラ１９からパネル制御ＩＣ２０に送信されているデータの、パネル制御ＩＣ２０での受信が完了するのに必要な一定の時間だけ待機して、ステップＳ３７に進み、マスタマイクロコントローラ１５とパネル制御ＩＣ２０とを接続するように、UARTスイッチ２１を制御して、ステップＳ３８に進む。
【０１０４】
ステップＳ３８において、マスタマイクロコントローラ１５は、第２の電力供給ブロック群への電力の供給を停止するように、電源リレー１２を制御し、これにより、電源リレー１２は、接点を開いて（開放して）、電源部１１からの電力が第２の電力供給ブロック群に供給されない状態、つまり、低消費電力モードの状態となって、処理を終了する。
【０１０５】
以上のように、マスタマイクロコントローラ１５は、マスタマイクロコントローラ１５とパネル制御ＩＣ２０とを接続するように、UARTスイッチ２１を制御し、低消費電力モードから通常モードへの遷移時に、通常モードにおいてスレーブマイクロコントローラ１９が制御するパネル制御ＩＣ２０を、スレーブマイクロコントローラ１９に代わって制御するので、パネル制御ＩＣ２０を迅速に制御することができる。
【０１０６】
なお、本実施の形態においては、マスタマイクロコントローラ１５と、スレーブマイクロコントローラ１９との制御対象のデバイスを、パネル制御ＩＣ２０としたが、マスタマイクロコントローラ１５とスレーブマイクロコントローラ１９とが制御対象とするデバイスは、パネル制御ＩＣ２０に限定されるものではない。
【０１０７】
また、マスタマイクロコントローラ１５またはスレーブマイクロコントローラ１９とパネル制御ＩＣ２０とのインタフェースは、UART以外の、例えば、IICその他であってもよい。
【０１０８】
さらに、本発明は、テレビジョン受像機の他、複数のマイクロコントローラでデバイスを制御する電子機器に適用することができる。
【０１０９】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１１０】
また、本発明の実施の形態は、上述した実施の形態に限定されるものではなく、本発明の要旨を逸脱しない範囲において種々の変更が可能である。
【図面の簡単な説明】
【０１１１】
【図１】本発明を適用したテレビジョン受像機の一実施の形態の構成例を示すブロック図である。
【図２】テレビジョン受像機１０が、その動作モードを低消費電力モードから通常モードに遷移させる処理を説明するフローチャートである。
【図３】低消費電力モードから通常モードへの遷移時に行われる処理に要する時間を説明する図である。
【図４】テレビジョン受像機１０が、その動作モードを通常モードから低消費電力モードに遷移させる処理を説明するフローチャートである。
【符号の説明】
【０１１２】
１０  テレビジョン受像機，  １１  電源部，  １２  電源リレー，  １３  キー入力部，  １４  受光部，  １５  マスタマイクロコントローラ，  １５Ａ  CPU，  １５Ｂ  メモリ，  １６  不揮発性メモリ，  １７，１８  IICバス，  １９  スレーブマイクロコントローラ，  １９Ａ  CPU，  １９Ｂ  メモリ，  ２０  パネル制御ＩＣ，  ２１  UARTスイッチ，  ２２  UARTライン，  ２３  不揮発性メモリ，  ２４  IICバス，  ２５  U/Vアンテナ，  ２６Ｍ  メインチューナ，  ２７Ｓ  サブチューナ，  ２８  入力切替部，  ２９  スレーブマイクロコントローラ，  ３０  多画面生成ＩＣ，  ３１  ビデオプロセッサ，  ３２  LCDパネル，  ３３  オーディオプロセッサ，  ３４  アンプ，  ３５  スピーカ
【図１】
2007053619.tif 000003
【図２】
2007053619.tif 000004
【図３】
2007053619.tif 000005
【図４】
2007053619.tif 000006